(57)【要約】【課題】簡単な作業でカバー部材をベース部材に取り付けられ、かつハウジングを裏返し又は横倒しすることなく、係止部における係止状態の確認が可能であり、さらに修理などの際、係止爪などを破損することなく容易にカバー部材を取り外すことが可能なハウジング構造を提供する。【解決手段】カバー部材１０は、第１側壁１０ｂの内面に形成された係止爪１２と、第２側壁１０ｃ及び１０ｄに形成された係止穴１３ａと、ベース部材２０の底面２０ａに係合される係合凸部１４を備え、ベース部材２０は、カバー部材１０の係止爪１２に係止される係止穴２１ａを有する板状の係合片２１と、カバー部材１０の第２側壁１０ｃ及び１０ｄの係止穴１３ａに係止される係止爪２２と、その底面に形成された係合凸部１４と係合される係合凹部２３を備える。【選択図】図２
2009047901.tif 000002
【特許請求の範囲】
【請求項１】
天板又は側壁に開口を有するカバー部材をベース部材に取り付けるための電気機器のハウジング構造であって、
前記カバー部材は、第１側壁の内面の下端部よりも上方の位置に形成され、上方ほど突出量が大きくなるように形成された傾斜面と、前記第１側壁の内面に略垂直な端面を有する１又は複数の係止爪と、前記第１側壁以外の第２側壁に形成された１又は複数の係止爪又は係止穴と、前記第１側壁又は第２側壁の下端部に形成され、前記ベース部材の底面に係合される少なくとも１つの係合凸部を備え、
前記ベース部材は、前記カバー部材の第１側壁に対応する側壁に形成され、前記係止爪に係止される係止穴を有する１又は複数の板状の係合片と、前記カバー部材の第２側壁に対応する側壁に形成され、前記係止爪又は係止穴に係止される１又は複数の係止穴又は係止爪と、その底面の前記カバー部材の前記係合凸部に対応する位置に形成され、前記係合凸部と係合される少なくとも１つの係合凹部を備えたことを特徴とする電気機器のハウジング構造。
【請求項２】
前記カバー部材は前記ベース部材の一部分を覆うように取り付けられ、前記第２側壁は、前記第１側壁に略垂直な２つの側壁のうち少なくともいずれか一方であることを特徴とする請求項１に記載の電気機器のハウジング構造。
【請求項３】
前記第２側壁の下端部近傍に、前記第２側壁と平行に突出する板状の係合片が形成され、該係合片に前記係止穴が形成されていることを特徴とする請求項２に記載の電気機器のハウジング構造。
【請求項４】
前記カバー部材は前記ベース部材の全体を覆うように取り付けられ、前記第２側壁は、前記第１側壁に略平行な側壁であることを特徴とする請求項１に記載の電気機器のハウジング構造。
【請求項５】
前記第２側壁は、さらに前記第１側壁に略垂直な２つの側壁であることを特徴とする請求項４に記載の電気機器のハウジング構造。
【発明の詳細な説明】
【技術分野】
【０００１】
本発明は、電気機器のハウジング構造、特に、プリンタなどの開口を有するカバー部材をベース部材に固定する取り付け構造に関する。
【背景技術】
【０００２】
従来から、電気機器のハウジングとして、樹脂製のカバー部材を、同じく樹脂製のベース部材に、樹脂の弾性を利用してはめ込み、ねじを用いないで固定することが行われている。従来の電気機器のハウジング構造の一例として、プリンタにおけるカバー部材のベース部材への取り付け構造を図７及び図８に示す。
【０００３】
図７に示すように、従来のハウジング構造では、カバー部材５０の前壁５０ａ及び側壁５０ｂの下端部に、ベース部材６０側に突出する複数の平板状の係合片５１が形成されていると共に、ベース部材６０の前壁６０ａ及び側壁６０ｂのうち、各係合片５１に対応する位置に、係合片５１が嵌合される複数の係合溝６１が形成されている。そして、図８に示すように、係合片５１と係合溝６１の対向面うち、いずれか一方の面（図では、係合溝６１の面）に他方の面側に突出する係止爪６２が形成され、他方（係合片）に係止爪６２に係止される係止穴５２が形成されている。
【０００４】
このような構成によれば、係合片５１をそれぞれ対応する係合溝６１と対向するように、カバー部材５０をベース部材６０上に載置し、その状態でカバー部材５０をベース部材６０側に押し下げると、係合片５１が係合溝６１に挿入され、係止穴５２が係止爪６２に係止される。その結果、カバー部材５０のベース部材６０への取り付け作業が簡単になると共に、カバー部材５０はベース部材６０に強固に固定され、容易には外れなくなる。
【０００５】
しかしながら、上記従来のハウジング構造によれば、全ての係合片５１と係合溝６１について、係止穴５２が係止爪６２に係止されているか否かを確認するには、ハウジングを裏返し又は横倒して、ベース部材の底面側から確認しなければならず、確認作業が煩わしい。特に、プリンタなど大型で重量が大きい電気機器の場合には、ハウジングを裏返す又は横倒すことが非常に困難である。さらに、修理などカバー部材を取り外す必要がある場合には、ハウジングを裏返し又は横倒しした状態で、複数箇所の係合片と係合溝の間に、同時にマイナスドライバの先端などを挿入して係止爪６２と係止穴５２の係止を解除しなくてはならず、カバー部材５０の取り外し作業が非常に困難である。その際、係止爪６２又は係合片５１の係止穴５２の近傍を破損してしまう可能性がある。
【０００６】
なお、特許文献１には、外観部品である装飾パネルを樹脂製のハウジングに取り付ける構造として、装飾パネルの裏面に、爪を有する突起を複数形成し、ハウジングのパネル面に形成された穴に突起を嵌合させ、爪を穴のエッジに係合させる構造が開示されている。爪と穴のエッジの係合は、ハウジングの内側からでないと外すことはできず、ハウジングの外側から無理に装飾パネルを外そうとすると、爪が折れてしまう。
【０００７】
また、特許文献２には、ベース部材に回転可能に支持されたカバー部材をロックするために、ベース部材上のカバー部材の回転軸と直交する軸の回りに回転可能にばねで付勢されたフックを設け、このフックをカバー部材に設けられた係合部に係合させている。この構成によれば、カバー部材の外面中央部を引っ張ることによりフックが回転し、係合部を破損することなくカバー部材のロックが解除されるが、カバー部材をベース部材に固定することはできない。
【０００８】
【特許文献１】特開２００７−３０３８９号公報
【特許文献２】特開２００４−３５４８４６号公報
【発明の開示】
【発明が解決しようとする課題】
【０００９】
本発明は、上記従来例の問題を解決するためになされたものであり、比較的簡単な作業でカバー部材をベース部材に取り付け、固定することが可能であり、かつハウジングを裏返し又は横倒しすることなく、係止部における係止状態の確認が可能であり、さらに修理などの際、係止爪などを破損することなく容易にカバー部材を取り外すことが可能なハウジング構造を提供することを目的とする。
【課題を解決するための手段】
【００１０】
上記目的を達成するために請求項１の発明は、天板又は側壁に開口を有するカバー部材をベース部材に取り付けるための電気機器のハウジング構造であって、
前記カバー部材は、第１側壁の内面の下端部よりも上方の位置に形成され、上方ほど突出量が大きくなるように形成された傾斜面と、前記第１側壁の内面に略垂直な端面を有する１又は複数の係止爪と、前記第１側壁以外の第２側壁に形成された１又は複数の係止爪又は係止穴と、前記第１側壁又は第２側壁の下端部に形成され、前記ベース部材の底面に係合される少なくとも１つの係合凸部を備え、
前記ベース部材は、前記ベース部材は、前記カバー部材の第１側壁に対応する側壁に形成され、前記係止爪に係止される係止穴を有する１又は複数の板状の係合片と、前記カバー部材の第２側壁に対応する側壁に形成され、前記係止爪又は係止穴に係止される１又は複数の係止穴又は係止爪と、その底面の前記カバー部材の前記係合凸部に対応する位置に形成され、前記係合凸部と係合される少なくとも１つの係合凹部を備えたことを特徴とする。
【００１１】
請求項２の発明は、請求項１に記載の電気機器のハウジング構造において、前記カバー部材は前記ベース部材の一部分を覆うように取り付けられ、前記第２側壁は、前記第１側壁に略垂直な２つの側壁のうち少なくともいずれか一方であることを特徴とする。
【００１２】
請求項３の発明は、請求項２に記載の電気機器のハウジング構造において、前記第２側壁の下端部近傍に、前記第２側壁と平行に突出する板状の係合片が形成され、該係合片に前記係止穴が形成されていることを特徴とする。
【００１３】
請求項４の発明は、請求項１に記載の電気機器のハウジング構造において、前記カバー部材は前記ベース部材の全体を覆うように取り付けられ、前記第２側壁は、前記第１側壁に略平行な側壁であることを特徴とする。
【００１４】
請求項５の発明は、請求項４に記載の電気機器のハウジング構造において、前記第２側壁は、さらに前記第１側壁に略垂直な２つの側壁であることを特徴とする。
【発明の効果】
【００１５】
上記のように、本発明によれば、カバー部材の係合凸部をベース部材の底面の係合凹部に係合させた状態で、カバー部材をベース部材側に押し付けると、最初にカバー部材の第１側壁の係止爪とベース部材の係合片に形成された係止穴が嵌合され、係止爪と係止穴が係止される。さらにカバー部材をベース部材側に押し付けると、カバー部材の第２側壁に形成された係止爪又は係止穴とベース部材の第２側壁に対応する側壁に形成された係止穴又は係止爪が嵌合され、係止爪と係止穴が係止される。その結果、比較的簡単な取り付け作業により、カバー部材をベース部材に取り付け、固定することができる。さらに、各係止爪と係止穴の係止部は、全てカバー部材とベース部材で構成されるハウジングの内側で、かつカバー部材とベース部材の接合面の近傍に位置しているので、カバー部材に設けられた開口から目視で確認することができる。そのため、従来例のように、ハウジングを裏返したり、あるいは横倒ししたりする必要が無くなり、カバー部材の取り付け作業を、簡単かつスムーズに行うことができる。
【００１６】
さらに、修理などカバー部材を取り外す場合、開口から作業者の手又はマイナスドライバの先端などを挿入して、カバー部材の第２側壁の係止爪又は係止穴とそれに対応するベース部材の係止穴又は係止爪の係止を解除し、カバー部材の第１側壁を手前にして、カバー部材をベース部材から引き離すように手前に引っ張れば、カバー部材の第１側壁の係止爪とベース部材の係合片に形成された係止穴の嵌合が解除され、容易にカバー部材をベース部材から取り外すことができる。また、その際、カバー部材の第１側壁の係止爪やベース部材の係合片の係止穴の近傍に無理な力は加わらないので、これらが破損されることもない。さらに、カバー部材の第２側壁の係止爪又は係止穴とベース部材の係止穴又は係止爪は、ハウジングの内側で十分な大きさに形成することができるので、これらのたわみ量を大きくすることにより、係止爪や側壁の損傷を防止することができる。
【発明を実施するための最良の形態】
【００１７】
本発明の一実施形態に係る電気機器のハウジング構造について、図面を参照しつつ説明する。図１乃至図５は、電気機器のハウジング構造の一例として、例えばレーザプリンタにオプションとして装着され、両面印刷のために記録紙の表裏を反転させる記録紙反転ユニットのハウジング構造の一部を示す。
【００１８】
図１又は図２に示すように、ハウジング１は、樹脂で形成されたカバー部材１０と、同じく樹脂で形成されたベース部材２０を備え、カバー部材１０はベース部材２０の一部分を覆うように取り付けられている。カバー部材１０は、天板１０ａ、第１側壁（前壁）１０ｂ、第１側壁１０ｂに対して略垂直な２つの第２側壁１０ｃ、１０ｄ及び一部分だけ形成された後壁１０ｅを有している。カバー部材１０の天板１０ａ及び第１側壁１０ｂには、レーザプリンタ本体（図示せず）から、第１面に画像が形成された記録紙が搬送されると共に、第２面に画像が形成されるように、記録紙の表裏を反転して送出するための開口１１が形成されている。一般的に、レーザプリンタは少なくともＡ４サイズ又はレターサイズの用紙に対応しているため、この開口１１は十分な開口面積を有しており、この開口１１から作業者がハウジング１の内部に手を入れて作業を行うことができる。
【００１９】
カバー部材１０の第１側壁１０ｂの内面の下端部よりも上方の位置には、上方ほど突出量が大きくなるように形成された傾斜面１２ａと、第１側壁１０ｂの内面に略垂直な端面１２ｂ（図６参照）を有する複数の係止爪１２が形成されている。また、図３に示すように、第２側壁１０ｃの下端部近傍で、かつ後壁１０ｅ側には、第２側壁１０ｃと平行に突出する板状の係合片１３が形成され、係合片１３に係止穴１３ａが形成されている。図示していないが、他方の第２側壁１０ｄについても同様である。さらに、図４に示すように、第２側壁１０ｄの下端部で、かつ後壁１０ｅ側には、ベース部材２０の底面に係合される係合凸部１４が形成されている。図示していないが、他方の第２側壁１０ｃについても同様である。
【００２０】
一方、ベース部材２０のうち、カバー部材１０の第１側壁１０ｂに対応する側壁２０ｂには、カバー部材１０の係止爪１２に係止される係止穴２１ａを有する複数の板状の係合片２１が形成されている。また、図３に示すように、ベース部材２０のうち、カバー部材１０の第２側壁１０ｃに対応する側壁２０ｃには、第２側壁１０ｃの係合片１３に設けられた係止穴１３ａと嵌合され、係合片１３を係止する係止爪２２が形成されている。係止爪２２は、係止爪１２とは逆に、下方ほど突出量が大きくなるように形成された傾斜面２２ａと、側壁２０ｃの内面に略垂直な端面２２ｂを有している。図示していないが、他方の第２側壁１０ｄに対応する側壁２０ｄついても同様である。さらに、図４に示すように、ベース部材２０の底面２０ａのうち、カバー部材１０の係合凸部１４に対応する位置には、係合凸部１４と係合される係合凹部２３が形成されている。
【００２１】
カバー部材１０の係合凸部１４をベース部材２０の底面２０ａの係合凹部２３に係合させた状態で、カバー部材１０をベース部材２０側に押し付けると、最初にカバー部材１０の第１側壁１０ｂの係止爪１２がベース部材２０の係合片２１に接触し、係止爪１２の傾斜面１２ａに沿って係合片２１が弾性変形する。そして、係合片２１に形成された係止穴２１ａの上端が傾斜面１２ａを乗り越えたときに、係合片２１の弾性復元力によって係止穴２１ａと係止爪１２が嵌合され、係止穴２１ａの上端が端面１２ｂによって係止される。さらにカバー部材１０をベース部材２０側に押し付けると、カバー部材１０の第２側壁１０ｃ及び１０ｄに形成された係合片１３が、ベース部材２０の側壁２０ｃに形成された係止爪２２に接触し、係止爪２２の傾斜面２２ａに沿って係合片１３が弾性変形する。そして、係合片１３に形成された係止穴１３ａの下端が傾斜面２２ａを乗り越えたときに、係合片１３の弾性復元力によって係止穴１３ａと係止爪２２が嵌合され、係止穴１３ａの下端が端面２２ｂによって係止される。その結果、比較的簡単な取り付け作業により、カバー部材１０をベース部材２０に取り付け、固定することができる。また、ベース部材２０の底面２０ａにおいて、係合凸部１４が係合凹部２３に係合しているので、無理にカバー部材１０をベース部材２０に対していずれかの方向に押しつけたとしても、カバー部材１０はベース部材２０に対してそれ以上回転できず、固定された状態が維持される。すなわち、一旦取り付けられたカバー部材１０は、容易にはベース部材２０から取り外すことはできない。
【００２２】
図５は、カバー部材１０をベース部材２０に取り付け、固定した状態を、天板１０ａ側から見た状態を示す。カバー部材１０の各係止爪１２とベース部材２０の係合片２１の係止穴２１ａの係止部及び、ベース部材２０の係止爪２２とカバー部材１０の係合片１３の係止穴１３ａの係止部は、全てカバー部材１０とベース部材２０で構成されるハウジング１の内側であり、かつカバー部材１０とベース部材２０の接合面の近傍に位置している。そして、カバー部材１０の天板１０ａ及び第１側壁１０ｂに賭けて開口１１が形成されている。そのため、上記係止部は、全て開口１１から目視で確認することができる。その結果、従来例のように、ハウジング１を裏返したり、あるいは横倒ししたりする必要が無くなり、カバー部材１０の取り付け作業を、簡単かつスムーズに行うことができる。
【００２３】
さらに、修理などカバー部材１０をベース部材２０から取り外す場合、開口１１から作業者の手又はマイナスドライバの先端などを挿入して、カバー部材１０の第２側壁１０ｃ及び１０ｄの係合片１３をたわませ、係止爪２２と係止穴１３ａの係止を解除し、カバー部材１０の第１側壁１０ｂを手前にして、カバー部材１０をベース部材２０から引き離すように手前に引っ張れば、カバー部材１０の第１側壁１０ｂの係止爪１２とベース部材２０の係合片２１に形成された係止穴２１ａの嵌合が解除され、容易にカバー部材１０をベース部材２０から取り外すことができる。その際、カバー部材１０の第１側壁１０ｂの係止爪１２やベース部材２０の係合片２１の係止穴２１ａの近傍に無理な力は加わらないので、これらが破損されることもない。さらに、カバー部材１０の第２側壁１０ｃ及び１０ｄの係合片１３及びその係止穴１３ａとベース部材２０の係止爪２２は、従来例と異なり、ハウジングの内側で十分な大きさに形成することができる、これらのたわみ量を大きくすることができる。そのため、これら係合片１３や係止爪２２の損傷を防止することができる。
【００２４】
なお、本発明は上記実施形態の構成に限定されるものではなく、様々な変形が可能である。例えば、インクジェットプリンタであれば、ハウジングの天板及び前壁に、インクカートリッジを交換するための機構が形成されている。また、ハウジングの後壁には、記録紙を装填するための給紙トレイを装着するための開口が形成されている。そのため、本発明のハウジング構造をインクジェットプリンタのハウジング構造に適用することができる。その場合、カバー部材はベース部材の全体を覆うように取り付けられ、第１側壁をカバー部材の前壁とすると、第２側壁を前壁に略平行な後壁としてもよい。さらに、第１側壁に前壁に略平行な後壁だけでなく、第１側壁に略垂直な２つの側壁も第２側壁とすることができる。さらに、上記実施形態とは逆に、カバー部材１０の第２側壁１０ｃ及び１０ｄに係止爪を形成し、ベース部材２０の側壁２０ｃ及び２０ｄに係止穴を有する係合片を形成してもよい。
【図面の簡単な説明】
【００２５】
【図１】本発明の一実施形態に係る電気機器のハウジング構造を示す斜視図。
【図２】上記ハウジング構造を図１とは反対側から見た状態を示す斜視図。
【図３】上記ハウジング構造におけるカバー部材の第２側壁及びベース部材のそれ対応する部分に設けられた係止部の構成を示す斜視図。
【図４】上記ハウジング構造におけるカバー部材とベース部材の底面に設けられた係合凸部及び係合凹部の構成を示す斜視図。
【図５】上記ハウジング構造をカバー部材の天板側から見た平面図。
【図６】上記ハウジング構造におけるカバー部材の第１側壁に設けられた係止爪とベース部材に設けられた係合片及びその係止穴を示す断面図。
【図７】従来の電気機器のハウジング構造を示す斜視図。
【図８】従来のハウジング構造におけるカバー部材に設けられた係合片及びその係止穴とベース部材に設けられた係合溝及びその係止爪の構成を示す断面図。
【符号の説明】
【００２６】
１  ハウジング
１０  カバー部材
１０ａ  天板
１０ｂ  第１側壁（前壁）
１０ｃ、１０ｄ  第２側壁
１０ｅ  後壁
１１  開口
１２  係止爪
１２ａ  傾斜面
１２ｂ  端面
１３  係合片
１３ａ  係止穴
１４  係合凸部
２０  ベース部材
２０ａ  底面
２０ｂ  側壁（前壁）
２０ｃ  側壁
２１  係合片
２１ａ  係止穴
２２  係止爪
２２ａ  傾斜面
２２ｂ  端面
２３  係合凹部
【図１】
2009047901.tif 000003
【図２】
2009047901.tif 000004
【図３】
2009047901.tif 000005
【図４】
2009047901.tif 000006
【図５】
2009047901.tif 000007
【図６】
2009047901.tif 000008
【図７】
2009047901.tif 000009
【図８】
2009047901.tif 000010